(57)【要約】      （修正有）【課題】録画予約情報入力の際に行う、キー入力等の煩わしさや誤入力の可能性を低減し、なおかつ、録画条件の設定を行うことが可能であり、また、録画後の録画データの処理を行う際のデータ取得を容易に行える録画予約システム。【解決手段】番組表とペンとレコーダーとを備えた録画予約システムであって、番組表は記入が行われる位置に応じた位置情報を示すパタンが印刷されると共に番組情報が視認可能に印刷され、ペンは番組表に記入を行った位置に応じて位置情報を取得する手段と位置情報をレコーダーに対して送信する手段を有し、レコーダーは位置情報を受信する手段と位置情報に応じて予約する番組を決定し録画予約を行う手段を備えた録画予約システムである。このような構成により、煩雑な操作をすることなく録画予約を簡単に行うことが可能となる。【選択図】  図４
2006279193.tif 000002
【特許請求の範囲】
【請求項１】
番組表と、前記番組表に記入を行うペンと、前記ペンと通信可能に接続されたレコーダーとを備えた録画予約システムであって、
前記番組表は、前記ペンにより記入が行われる位置に応じた位置情報を示すパタンが印刷されると共に、番組情報が視認可能に印刷され、
前記ペンは、前記番組表に記入を行った位置に応じて前記位置情報を取得する手段と、取得した前記位置情報を前記レコーダーに対して送信する手段を有し、
前記レコーダーは、前記ペンから送信された前記位置情報を受信する手段と、受信した前記位置情報に応じて予約する番組を決定する手段と、決定した番組の録画予約を行う手段を備えた録画予約システム。
【請求項２】
前記ペンは当該ペン固有の識別情報を格納する手段と、位置情報を前記識別情報と関連付けて前記レコーダーに送信する手段を有し、
前記レコーダーは、前記識別情報と関連付けて前記位置情報を受信する手段と、前記ペンの識別情報を予め登録し格納する記憶手段と、受信した前記位置情報と関連付けられた前記識別情報が前記記憶手段に格納された前記ペンの識別情報と一致するかを判定する手段と、判定の結果、両者が一致した場合のみ受信した位置情報に応じて予約する番組を決定する手段を有することを特徴とする請求項１記載の予約システム。
【請求項３】
前記ペンは、前記レコーダーに前記位置情報を送信する時点での時刻を記録する手段と、
記録した送信時刻情報を前記レコーダーに送信する手段を有し、
前記レコーダーは、前記ペンから前記送信時刻情報を受信する手段と、前記位置情報に対応する番組の時刻情報を取得する手段と、前記送信時刻情報と前記番組の時刻情報を比較し、比較した結果に基づいて、当該番組を録画予約するか録画予約以外の処理を行うかを決定する手段を有することを特徴とする請求項１または２記載の録画予約システム。
【請求項４】
前記レコーダーは、前記ペンに対して時刻情報を送信する手段を有し、
前記ペンは、前記レコーダーから前記時刻情報を受信する手段と、受信した前記時刻情報に基づいて前記送信時刻情報を修正する機能を有することを特徴とする請求項３記載の録画予約システム。
【請求項５】
前記ペンは、前記番組表に筆記した手書き情報を取得する手段と、取得した前記手書き情報を前記レコーダーに送信する手段を有し、
前記レコーダーは、前記ペンから前記手書き情報を受信する手段と、受信した前記手書き情報の筆記形状を認識する手段と、認識した筆記形状に応じて異なる処理を行う手段を有することを特徴とする請求項１乃至４いずれかに記載の録画予約システム。
【請求項６】
前記認識した筆記形状に応じた処理は、記録媒体の選択及び／又は録画モードの選択であることを特徴とする請求項５記載の録画予約システム。
【請求項７】
前記パタンは、当該パタンの上に番組情報を印刷しても前記ペンにより認識可能であることを特徴とする請求項６記載の録画予約システム。
【請求項８】
前記番組表は、番組毎に各番組に対応した番組領域を複数有し、前記番組領域は、互いに隣接する位置に配置されていることを特徴とする請求項１乃至７いずれかに記載の録画予約システム。
【請求項９】
前記レコーダーは、前記ペンにより前記番組表の番組領域の複数に対して手書き入力を行った場合、受信した手書き情報に応じて、手書き入力を行った番組領域全ての番組に対して、認識した形状に応じた処理を行うことを特徴とする請求項８記載の録画予約システム。
【請求項１０】
前記ペンと前記レコーダー間の通信は、ブルートゥース（Bluetooth：登録商標）方式により実行されることを特徴とする請求項１乃至９いずれかに記載の録画予約システム。
【発明の詳細な説明】
【技術分野】
【０００１】
本発明は録画予約システムに関するものであり、より詳細には、電子ペンを使用して録画予約・録画データ処理を行う録画予約システムに関する。
【背景技術】
【０００２】
ＴＶ放送される番組を鑑賞する前に記録する方法として、以下の録画予約システムが存在する。ユーザはまず、ＴＶ番組表からユーザの録画したい番組の番組情報である「日付」「チャンネル」「時間」「長さ」を取得し、その情報を、レコーダーに装着されているコントロールキーまたは、リモートコントロールユニットのキーで入力していた。
【０００３】
この方法によると、録画したい番組の情報「日付」「チャンネル」「時間」「長さ」はユーザにとっては、非常に多い情報量であり、キー入力の際には非常に重い負担となった。それに加え、人の手による入力方法であったため、誤入力の可能性が高く、再入力の際には、ユーザにとってはストレスのかかる作業であった。
【０００４】
しかし、近年では、バーコードに録画情報を圧縮し、バーコードリーダーでその情報を読み取り、レコーダーに送信する方法や、Ｇコードと呼ばれる最大８桁の数字に録画情報を圧縮し、その数字をレコーダーに対して入力するといった方法（例えば、特許文献１など）が開発され、誤入力の可能性も低くなり、ユーザ負担も軽減された。
【０００５】
また、レコーダー内にハードディスクが搭載され、レコーダー内部に録画データを格納することが可能になり、録画の対象を、外部記憶媒体、所謂、従来のビデオテープやＤＶＤ以外にも選択することが可能になった。
【特許文献１】特開２００２−２０９１６６号公報
【発明の開示】
【発明が解決しようとする課題】
【０００６】
しかし、バーコード入力やＧコード入力の場合、バーコードやＧコードは１番組に対して１つ与えられるものなので、複数入力する際には、１番組毎に入力を行わなければならず、またＴＶ番組表にその情報を別途記載するスペースが必要であり、番組表を作成する際にネックになる部分があった。
【０００７】
また、バーコード予約の場合、ユーザはバーコードリーダーで、そのバーコードを正確になぞる必要があり、未だにユーザにとっては負担である。Ｇコード予約の場合、最大数字８桁のキー入力になったとはいえ、未だ誤入力の可能性があり、ユーザの負担もある。さらに複数入力する際には、誤入力の可能性はさらに高くなり、ユーザの負担もさらに大きくなる。また、録画対象がレコーダー内蔵のハードディスクにも適応されるので、ユーザの設定事項は増えた。
【０００８】
また、レコーダー内に格納された録画データを取得する際に、ユーザは、録画データを大量のデータの中から検索しなければならず、ユーザにとっては、これもまた、負担のかかる作業である。
【０００９】
本発明は、このような問題点を解決するためになされるもので、録画情報入力の際に、誤入力の可能性の低い、ユーザの負担が少なく、複数入力の際にも、まとめて入力が可能で、また、番組表作成においては、番組表内には番組内容以外の情報を含まない番組表を作成可能な、録画情報入力システムを提供し、なおかつ、録画されたデータを円滑に取り出すことのできる情報入力システムを提供することを目的とする。
【課題を解決するための手段】
【００１０】
本発明にかかる録画予約システムは、番組表と、前記番組表に記入を行うペンと、前記ペンと通信可能に接続されたレコーダーとを備えた録画予約システムであって、前記番組表は、前記ペンにより記入が行われる位置に応じた位置情報を示すパタンが印刷されると共に、番組情報が視認可能に印刷され、前記ペンは、前記番組表に記入を行った位置に応じて前記位置情報を取得する手段と、取得した前記位置情報を前記レコーダーに対して送信する手段を有し、前記レコーダーは、前記ペンから送信された前記位置情報を受信する手段と、受信した前記位置情報に応じて予約する番組を決定する手段と、決定した番組の録画予約を行う手段を備えた録画予約システムである。このような構成により、煩雑な操作をすることなく録画予約を簡単に行うことが可能となる。
【００１１】
前記ペンは当該ペン固有の識別情報を格納する手段と、位置情報を前記識別情報と関連付けて前記レコーダーに送信する手段を有し、前記レコーダーは、前記識別情報と関連付けて前記位置情報を受信する手段と、前記ペンの識別情報を予め登録し格納する記憶手段と、受信した前記位置情報と関連付けられた前記識別情報が前記記憶手段に格納された前記ペンの識別情報と一致するかを判定する手段と、判定の結果、両者が一致した場合のみ受信した位置情報に応じて予約する番組を決定する手段を有することを特徴としてもよい。このようにすることによりセキュリティを強化することが可能となる。
【００１２】
前記ペンは、前記レコーダーに前記位置情報を送信する時点での時刻を記録する手段と、記録した送信時刻情報を前記レコーダーに送信する手段を有し、前記レコーダーは、前記ペンから前記送信時刻情報を受信する手段と、前記位置情報に対応する番組の時刻情報を取得する手段と、前記送信時刻情報と前記番組の時刻情報を比較し、比較した結果に基づいて、当該番組を録画予約するか録画予約以外の処理を行うかを決定する手段を有することを特徴としてもよい。このようにすることによりユーザの操作をより少なくすることが可能となる。
【００１３】
前記レコーダーは、前記ペンに対して時刻情報を送信する手段を有し、前記ペンは、前記レコーダーから前記時刻情報を受信する手段と、受信した前記時刻情報に基づいて前記送信時刻情報を修正する機能を有することを特徴としてもよい。
【００１４】
前記ペンは、前記番組表に筆記した手書き情報を取得する手段と、取得した前記手書き情報を前記レコーダーに送信する手段を有し、前記レコーダーは、前記ペンから前記手書き情報を受信する手段と、受信した前記手書き情報の筆記形状を認識する手段と、認識した筆記形状に応じて異なる処理を行う手段を有することを特徴としてもよい。このようにすることにより、ユーザは、より直感的な操作を行うことが可能となる。
【００１５】
前記認識した筆記形状に応じた処理は、記録媒体の選択及び／又は録画モードの選択であることを特徴としてもよい。
【００１６】
前記パタンは、当該パタンの上に番組情報を印刷しても前記ペンにより認識可能であることを特徴としてもよい。
【００１７】
前記番組表は、番組毎に各番組に対応した番組領域を複数有し、前記番組領域は、互いに隣接する位置に配置されていることを特徴としてもよい。
【００１８】
前記レコーダーは、前記ペンにより前記番組表の番組領域の複数に対して手書き入力を行った場合、受信した手書き情報に応じて、手書き入力を行った番組領域全ての番組に対して、認識した形状に応じた処理を行うことを特徴としてもよい。このようにすることにより、一度の操作で複数の録画予約や再生等の処理を行うことが可能となる。
【００１９】
前記ペンと前記レコーダー間の通信は、ブルートゥース（Bluetooth：登録商標）方式により実行されることを特徴としてもよい。
【発明の効果】
【００２０】
本発明によれば、誤入力の可能性が極めて低く、また、ユーザの負担を軽減できる録画予約の方法を提供することができ、録画データを簡単に取得および、処理することが可能である。また、ＴＶ番組表には番組内容以外の情報を記載する必要のない、番組表を作成することができる。
【発明を実施するための最良の形態】
【００２１】
以下、本発明を実施するための最良の形態について図を参照しながら説明する。本発明にかかる電子ペンを使用した録画予約システムは大きく分けて、録画予約情報入力システムと録画データ処理システムに分けられる。以下、録画予約情報入力システムを予約システム、録画データ処理システムをデータ処理システムと称し、本実施形態において共通するシステム、動作処理、また、各々のシステム、動作処理について説明する。
【００２２】
尚、以下に記載する、発明の実施の形態１において、本発明にかかる予約システムおよび、データ処理システムの概略構成について説明し、発明の実施の形態２において、本発明にかかる予約システムおよび、データ処理システムの具体構成について説明する。続いて、発明の実施の形態３において、本発明にかかる予約システムの動作処理について説明し、発明の実施の形態４において、本発明にかかるデータ処理システムの具体構成および動作処理について説明する。また、発明の実施の形態４、５では各々予約システムおよび、データ処理システムにおける番組表への書き込み方法について詳細に説明する。
【００２３】
発明の実施の形態１．
図１の模式図に、本発明にかかる予約システムおよびデータ処理システムの概略構成の一例が示されている。図１で示すように、本発明にかかる予約システムおよび、データ処理システムは、電子ペン（以下ペンと略す）１１、ＴＶ番組表（以下番組表と略す）１２、レコーダー１３を備えている。各構成要素の詳細については、発明の実施の形態２において具体的に説明する。
【００２４】
図１に示すように、本発明にかかる予約システムおよび、データ処理システムにおいてペン１１には、ペンの識別情報であるペンＩＤとして「×××−×××−×××−××」が割り当てられ、ペン時刻と共に、当該ペン１１の記憶手段に格納されている。番組表１２には、当該番組表の識別子である番組表アドレス「×.×.×.×」が割り当てられている。ユーザはＴＶ録画したい番組を番組表１２より選択し、ペン１１を用いて番組表１２に書き込みを行う。ここで録画予約情報入力を行いたい場合は、録画データを保存する対象と録画モードを設定する（以下、録画条件と称す）ために録画条件の文字を書き込む。また、録画データの再生あるいは消去をしたい場合は、チェックあるいは×のマークを書き込む。具体的な書き込み例は発明の実施の形態５および６で詳細に説明する。
【００２５】
このユーザが書き込んだエリアの位置データ（以下、位置データと呼ぶ）は、番組表アドレスと共にペン１１によって読み込まれ、ペンＩＤおよびペン時刻と共に、レコーダー１３に送信される。なお、ペンＩＤは「×××−×××−×××−××」、番組表アドレスは「×.×.×.×」といった名称を用いたが、特に限定した名称に限るものではない。
【００２６】
レコーダー１３は、ペンＩＤ、ペン時刻、番組表アドレスおよび、位置データをペンより受信した後、番組表アドレスをもとに、レコーダー１３の記憶手段内に格納されている番組表定義ファイルを取得し、その番組表定義ファイルから、書き込みの行われたエリアに対応するＴＶ番組の情報「日付」「チャンネル」「時間」「長さ」および、「番組名」を取得する。このとき、レコーダー１３は、ペン時刻から当該番組の時間帯と比較し、動作処理が、録画予約情報入力処理なのか、あるいは、録画データを再生・消去する処理なのかを判断する。
【００２７】
ペン時刻が当該番組の時間帯より、前であった場合、レコーダー１３は動作処理を予約システムと認識し、位置データの記号・文字認識を行い、その結果、録画条件を取得し、取得した各データをもとに、録画予約を行う。録画が完了し、録画データはレコーダー１３内の記憶手段に格納される。この際ペンＩＤ毎に記録領域を分け、ペンＩＤによる録画データの振り分けが行われる。
【００２８】
ペン時刻が当該番組の時間帯より、後であった場合、レコーダー１３は動作処理をデータ処理システムと認識し、位置データの記号・文字認識を行い、その結果、再生あるいは消去という、処理コマンドを取得する。その後、処理コマンドにしたがって、取得した各データをもとに、録画データの検索、取得を行う。取得した録画データは再生あるいは、消去される。
【００２９】
このように、本発明にかかる予約システムおよび、データ処理システムにおいては、ペンで番組表に書き込みを行うことのみでＴＶ番組を録画予約および、録画条件の設定をすることができ、その録画した番組を再生、消去することができる。また、ペンＩＤを用いることによって録画された情報を使用するペン毎に振り分けることができる。
【００３０】
発明の実施の形態２．
発明の実施の形態２においては、本発明にかかる予約システムおよび、データ処理システムの具体構成について説明する。
【００３１】
本発明にかかる予約システムおよび、データ処理システムは、ペン１１、番組表１２、レコーダー１３を備えている。図２、図３および、図４を用いて、本発明にかかる予約システムおよび、データ処理システムにおける各構成要素の詳細について具体的に説明する。
【００３２】
ペン１１は、ユーザが手書きによって録画情報を入力するための入力手段である。さらに、ペン１１は、番組表１２に手書きで入力するために、超小型カメラ等の撮影手段を有する。ペン１１は、レコーダー１３と無線通信するためのブルートゥース通信機能を有する。このペン１１は、固有のペンＩＤ等、各種情報を記憶手段に格納している。
【００３３】
ここで、図２を用いて、ペン１１のハードウェア構成の概略について説明する。このペン１１は、レコーダー１３と、例えばブルートゥースを用いて無線により接続されるが、ＵＳＢ（Ｕｎｉｖｅｒｓａｌ Ｓｅｒｉａｌ Ｂｕｓ）等を用いて有線により接続されていてもよい。また、ペン１１は、番組表１２のパタン面１２１上に通常の方法でチェックや文字、記号等を書き込み、同時に書き込んだデータをレコーダー１３に送信する。パタン面１２１には、後述する特定の符号パタンが設けられている。
【００３４】
ペン１１は、図２に示されるように、ボールペン１１０、筆圧センサ１１２、光学モジュール１１３、信号処理部１１５、制御部１１６、スイッチ１１７、メモリ１１８、バッテリー１１９及び通信制御部１２０を備えている。また、ペン１１は、チェックや文字、記号等を書くことができればよく、ペンの形に限らず、任意の形でもよい。
【００３５】
ボールペン１１０は、筆記手段であり、一端にペン先１１１を有し、他端を筆圧センサ１１２と接触している。ボールペン１１０の内部には、インクが充填されている。このインクの材料や色は、番組表１２上の符号パタンの読み取りに影響のないものであれば、特に限定されないが、赤外線を吸収するもの、例えば、カーボン等ではないことが好ましい。また、ボールペン１１０は、通常のボールペンと同様に、番組表１２又は通常の用紙にも、文字等を書くことができる。さらに、ボールペン１１０は、ボールペンに限らず、蛍光ペン、サインペン、万年筆等でもよい。
【００３６】
筆圧センサ１１２は、ボールペン１１０と接触しており、例えば、信号処理部１１５と接続されている。筆圧センサ１１２は、後述するようにボールペン１１０の筆圧を検出し、信号処理部１１５へ出力する。また、筆圧センサ１１２は、ボールペン１１０の筆圧を検出できるものであればよく、圧力センサ等の接触型センサでもよいし、光センサや超音波センサ等の非接触型センサでもよい、非接触型センサであれば、ボールペン１１０とは接触しなくてもよい。さらに、筆圧センサ１１２は、筆圧に限らず、ボールペン１１０のインクの量などを検出してもよい。
【００３７】
光学モジュール１１３は、例えば、信号処理部１１５と接続されている。光学モジュール１１３は、後述するようにペン先１１１の近傍である検出範囲１１４の符号パタンを光学的手段により検出し、信号処理部１１５へ出力する。また、光学モジュール１１３は、検出範囲１１４の符号パタンを検出できるものであればよく、例えば、ＣＭＯＳカメラ、ＣＣＤカメラ、発光素子と受光素子等でもよい。さらに、光学モジュール１１３は、符号パタンに限らず、ペン先１１１とパタン面の距離や、ボールペン１１０の角度などを検出してもよい。尚、光学モジュール１１３は、ペン先１１１がパタン面から約５ｍｍ離れていても符号パタンを検出できる性能を備えていることが好ましいが、これに限定されるものではない。
【００３８】
信号処理部１１５は、例えば、筆圧センサ１１２、光学モジュール１１３、制御部１１６及びメモリ１１８と接続されている。信号処理部１１５は、後述するように正規化部やデコーダ部、ＡＤＣ等を備えており、筆圧センサ１１２の検出信号をデジタル信号に変換したり、光学モジュール１１３の検出信号を復号したりする。また、信号処理部１１５は、変換・復号した信号を制御部１１６やメモリ１１８へ出力する。
【００３９】
制御部１１６は、例えば、信号処理部１１５、スイッチ１１７及びメモリ１１８と接続されている。制御部１１６は、例えば、スイッチ１１７のＯＮ／ＯＦＦに応じて、ペン１１全体の電源のＯＮ／ＯＦＦを制御してもよい。また、制御部１１６は、信号処理部１１５からの信号等をメモリ１１８へ出力する。
【００４０】
スイッチ１１７は、例えば、制御部１１６と接続されている。スイッチ１１７は、電源スイッチでもよいし、筆圧センサ１１２や光学モジュール１１３の検出のためのスイッチ、通信制御部１２０が通信するためのスイッチ等としてもよい。
【００４１】
メモリ１１８は、例えば、信号処理部１１５及び制御部１１６と接続されている。メモリ１１８は、後述するように信号処理部１１５や制御部１１６から入力された情報を格納し、格納した情報を通信制御部１２０へ出力する。メモリ１１８は、信号処理部１１５や制御部１１６から入力された情報を記憶できるものであればよく、ＲＡＭやＥＥＰＲＯＭ、メモリカード等でもよい。
【００４２】
バッテリー１１９は、ペン１１の各要素に動作電力を供給するものである。バッテリー１１９は、乾電池等の一次電池でもよいし、リチウムイオン電池等の二次電池でもよく、さらに、別の装置やＵＳＢ等の電力供給能力を有するインタフェースでもよい。
【００４３】
通信制御部１２０は、例えば、メモリ１１８と接続されている。通信制御部１２０は、後述するようにメモリ１１８から入力された情報を、無線あるいは有線通信によりレコーダー１３へ送信する。通信制御部１２０は、レコーダー１３と通信接続できるものであればよく、無線接続の場合、ブルートゥース等による通信を可能とする通信制御回路や無線アンテナ等でもよいし、有線接続の場合、ＵＳＢ等による通信を可能とする通信制御回路や通信ポート等でもよい。尚、上述したそれぞれの構成要素は、その具体的方式や実現手段は特定のものに限定されない。
【００４４】
番組表１２はアノト方式のデジタイジング方式が採用された電子ペーパーの一例である。この方式は、スウェーデンの会社であるアノト社が開発したデジタイジング方式である。具体的には、アノト方式では、用紙に０．３ｍｍの格子の交点から僅かにずらして点を印刷し、この点をペンに設けた超小型カメラによって撮影する。アノト方式では６点×６点つまり３６個の格子点からのズレ方により、絶対座標を算出するデジタイジング方式である。番組表１２は、筆記面であるパタン面１２１に符号パタン１２２が印刷されている。また、番組表１２は紙に限らず、木やプラスチック板、ガラス等でもよい。
【００４５】
符号パタン１２２は、図３に示すように、格子状に配置された複数のドット１２３から構成されている。ドット１２３は、光学モジュール１１３で認識できればよく、人間の視覚により認識できなくてもよいし、例えば、カーボンインク等により印刷されていてもよい。例えば、ドット１２３の直径は０．１ｍｍであり、格子の間隔は０．３ｍｍであるが、その他の任意の値でもよい。図３に示すように、ドット１２３は、格子の位置から上下左右にずれて配置されてもよい。例えば、上下左右にずれたドット１２３にそれぞれ、"０"、"１"、"２"、"３"と４つの符号、つまり２進数における２ビットの符号と等価となる。例えば、パタンの符号語が、縦×横で６×６の符号とすると、６×６×２ビット、つまり符号語当たり７２ビットの値を表すことができる。
【００４６】
そして、この符号パタン１２２によって示される唯一無二のパタンからＸ軸座標及びＹ軸座標の座標データを表すことにより、番組表１２の絶対的な位置等を検出することができる。また、符号パタン１２２は、座標データに限らず、番組表１２の情報を含んでいてもよい。尚、符号パタン１２２は、ペン先１１１の位置座標を検出できるものであれば、特定の符号方式・パタンおよびその記録方法やパタンの検出方法には制限されるものではない。
【００４７】
ペン１１は、毎秒５０〜７０枚の画像を撮影し、そのときの座標値を送信する。番組表１２には、異なった座標空間の点列を印刷することによって、番組表１２の区別を位置データで行うことができる。
【００４８】
レコーダー１３は、ＴＶ番組の録画装置、および録画データの再生・編集装置の一例である。このレコーダー１３はペン１１と無線通信するためのブルートゥース通信機能と、内部にデータを格納する記憶手段とデータを処理する手段を有する。また、レコーダー１３は処理システムに文字認識あるいは記号認識するための処理する手段を有する。レコーダー１３の録画装置、および録画データの再生・編集装置については、その機能を有するものであれば、特に限定されたものではない。
【００４９】
ここで図４を用いてレコーダー１３のシステム構成の概略について説明する。レコーダー１３のシステムは、図４に示されるように、ペンデータ受信手段１３０、番組表定義ファイル用メモリ１３１、番組表定義ファイル取得手段１３２、エリアデータ取得手段１３３、エリアデータ・位置データ比較手段１３４、取得時刻送信手段１３５、時刻比較手段１３６、記号・文字認識手段１３７、取得データ集積・処理システム１３８、録画装置１３９、録画データ用メモリ１４０、ＤＶＤ格納装置１４１、録画データ再生装置１４２を備える。
【００５０】
ペンデータ受信手段１３０は、番組表定義ファイル取得手段１３２、エリアデータ・位置データ比較手段１３４、取得時刻送信手段１３５および、取得データ集積・処理システム１３８と接続されている。ペンデータ受信手段１３０は、ペン１１より、番組表アドレス、ペン時刻、位置データ、ペンＩＤを受信し、番組表アドレスを番組表定義ファイル取得手段１３２に、位置データをエリアデータ・位置データ比較手段１３４に、ペン時刻を取得時刻送信手段に、ペンＩＤを取得データ集積・処理システム１３８に出力する。ペンデータ受信手段１３０は、ペン１１から送信されるデータを受信できるものであればよく、無線通信の場合、ブルートゥース等による通信を可能とする通信制御回路や、無線アンテナ等でもよいし、有線接続の場合、ＵＳＢ等による通信を可能とする通信制御回路や通信ポート等でもよい。尚、上述した各々の構成要素は、その具体的方法や実現手段は特定のものに限定しない。
【００５１】
番組表定義ファイル用メモリ１３１は、番組表定義ファイル取得手段１３２と接続されている。番組表定義ファイル用メモリ１３１は、外部から取得した番組表定義ファイルを格納し、番組表定義ファイル取得手段１３２から要請されたファイルを番組表定義ファイル取得手段１３２に出力する。番組表定義ファイル用メモリ１３１は番組表定義ファイルを記憶できるものであればよく、ＲＡＭやＥＥＰＲＯＭ、メモリカード等でもよい。番組表定義ファイル用メモリは外部から番組表定義ファイルを取得する手段として、図４で示すようにインターネットを介する方法、あるいはＤＶＤなどの外部記憶媒体を用いて取得してもよい。
【００５２】
番組表定義ファイルには、番組表のエリアに関するエリアデータと共に、各番組エリアに対応した番組の番組情報である、「日付」「チャンネル」「時間帯」「長さ」、そして「番組名」が記載されている。番組表定義ファイルは番組表１２に対応するものなので、番組表１２に、１日分のＴＶ番組が記載されている場合は、番組表定義ファイルには、１日分の番組しか定義されないことになる。したがって、番組定義ファイルは常に最新のファイルに更新しておく必要があり、外部からの取得方法として、インターネットを介する手段やＤＶＤなどの外部記憶媒体を利用して取得する方法が挙げられるが、その取得方法については特定のものに限定しない。なお、番組表定義ファイルのタイトルは番組表１２の保持する番組表アドレスより検索可能なタイトル名を含むものであれば、特定のものに限定しない。
【００５３】
番組表定義ファイル取得手段１３２は、ペンデータ受信手段１３０、番組表定義ファイル用メモリ１３１、エリアデータ取得手段１３３と接続されている。番組表定義ファイル取得手段１３２は、番組表定義ファイル用メモリ１３１にアクセスし、ペンデータ受信手段１３０から入力される番組表アドレスをもとに番組表定義ファイルを検索・取得する。取得した番組表定義ファイルはエリアデータ取得手段１３３に出力される。
【００５４】
エリアデータ取得手段１３３は、番組表定義ファイル取得手段１３２および、エリアデータ・位置データ比較手段１３４と接続されている。エリアデータ取得手段１３３は、番組表定義ファイル取得手段１３２から入力される番組表定義ファイルに記載されている番組表のエリアに関するエリアデータを取得する。取得したエリアデータは、エリアデータ・位置データ比較手段１３４に出力される。
【００５５】
エリアデータ・位置データ比較手段１３４は、ペンデータ受信手段１３０、エリアデータ取得手段１３３および、時刻比較手段１３６と接続されている。エリアデータ・位置データ比較手段１３４は、エリアデータ取得手段１３３から入力される、エリアデータとペンデータ受信手段１３０から入力される位置データとを比較する。位置データがエリアデータで定義されるエリアの範囲内にある場合、そのエリアの番組の番組情報を取得する。取得した番組情報とペンデータ受信手段から入力されたペン時刻、位置データを時刻比較手段１３６に出力する。
【００５６】
取得時刻送信手段１３５は、ペンデータ受信手段１３０および、時刻比較手段１３６と接続されている。取得時刻送信手段１３５は、ペンデータ受信手段１３０から送信されたペン時刻をレコーダー１３の時刻と同期させ、その時刻を新たなペン時刻として、ペン１１に送信する。また、同期済みのペン時刻を時刻比較手段１３６に出力する。
【００５７】
時刻比較手段１３６は、エリアデータ・位置データ比較手段１３４、取得時刻送信手段１３５および、記号・文字認識手段１３７と接続されている。時刻比較手段１３６は、エリアデータ・位置データ比較手段１３４から入力される番組情報に含まれる「時間帯」と、取得時刻送信手段１３５から入力されるペン時刻を比較し、動作処理システムが、予約システムか、データ処理システムか、判別する。判別後、動作処理システムに従い、番組情報、位置データを記号・文字認識手段１３７に出力する。
【００５８】
記号・文字認識手段１３７は、時刻比較手段１３６および、取得データ集積・処理システム１３８と接続されている。記号・文字認識手段１３７は、時刻比較手段１３６から入力されるデータ内の位置情報から書き込まれた形状の記号・文字認識を行う。この結果から取得した処理コマンドおよび、録画条件と番組情報を取得データ集積・処理システムに出力する。
【００５９】
取得データ集積・処理システム１３８は、ペンデータ受信手段１３０、記号・文字認識手段１３７、録画装置１３９、録画データ用メモリ１４０および、ＤＶＤ格納装置１４１と接続されている。取得データ集積・処理システム１３８は、ペンデータ受信手段１３０および、記号・文字認識手段１３７から入力されるデータから動作処理システムに従って、必要なデータを、録画装置１３９、録画データ用メモリ１４０および、ＤＶＤ格納装置１４１に出力する。
【００６０】
録画装置１３９は、取得データ集積・処理システム１３８、録画データ用メモリ１４０および、ＤＶＤ格納装置１４１と接続されている。録画装置１３９は、取得データ集積・処理システム１３８から入力される番組情報および、録画条件から当該番組を録画する。録画データは録画条件に従い、録画データ用メモリ１４０あるいは、ＤＶＤ格納装置１４１に出力される。
【００６１】
録画データ用メモリ１４０は、取得データ集積・処理システム１３８、録画装置１３９および、録画データ再生装置１４２と接続されている。録画データ用メモリ１４０には取得データ集積・処理システム１３８によって、録画データを録画データ再生装置１４２に出力あるいは、録画データを消去される。また、録画装置１３９から録画データが入力され、ペンＩＤによって分類し、保存する。録画データ用メモリ１４０は録画データを記憶できるものであればよく、ＲＡＭやＥＥＰＲＯＭ、メモリカード等でもよい。
【００６２】
ＤＶＤ格納装置１４１は、取得データ集積・処理システム１３８、録画装置１３９および、録画データ再生装置１４２と接続されている。ＤＶＤ格納装置１４１には、取得データ集積・処理システム１３８によって、録画データを録画データ再生装置１４２に出力あるいは、録画データを消去される。
【００６３】
録画データ再生装置１４２は、録画データ用メモリ１４０および、ＤＶＤ格納装置１４１と接続されている。録画データ再生装置１４２は、録画データ用メモリ１４０あるいは、ＤＶＤ格納装置１４１から入力される録画データを再生する。
【００６４】
発明の実施の形態３．
次に本発明にかかるシステムの一部である予約システムの動作処理について図を用いて説明する。ここでは適宜、図５および、図６を用いて説明する。図５は本発明にかかる予約システムおよび、データ処理システムにおける動作処理のフローチャートを示すものである。以下の説明はこのフローチャートに従うものである。
【００６５】
まず、図６を用いてペン１１を用いた番組表１２への書き込みについて詳細に説明する。図６は、番組表１２の一例を示すものである。図６に示すように、番組表１２は、記入開始エリア３０１、送信開始エリア３０２、番組表エリア３０３、番組エリア３０４を有する。
【００６６】
記入開始エリア３０１は、「開始」マークを含む番組表１２内の領域である。送信開始エリア３０２は「送信」マークを含む番組表１２内の領域である。番組表エリア３０３は従来のＴＶ番組ガイド表と同様の構成で、横方向にチャンネル、縦方向に時間帯で構成されており、縦方向の時間軸は番組毎に区切られており、表の１セルは１番組に対応している。番組表エリア３０３は、各番組に従い、番組エリア３０４を有する。
【００６７】
ユーザはペン１１を用いて記入開始エリア３０１の「開始」マークをチェックして予約システムにおける情報入力を開始する（Ｓ１）。ユーザは録画したい番組を番組表エリア３０３から選択し、その中の録画したい番組について記載されてある番組エリア３０４に書き込みを行う（Ｓ２）。予約システムにおける番組表１２への具体的な書き込み方法は、発明の実施の形態５において、詳細に説明する。
【００６８】
番組エリア３０４への書き込みが完了したら、ユーザは送信開始エリア３０２の「送信」マークをチェックして、番組表１２への書き込みが完了する（Ｓ３）。
【００６９】
ユーザが、番組表エリアへの書き込みを完了し、「送信」マークをチェックすると、ペン１１とレコーダー１３とはブルートゥースを使用して通信を行う。具体的には、ペン１１はレコーダー１３とペアリングされており、無線通信可能な状態にある。ペン１１はこの状態で、レコーダー１３とブルートゥース通信を開始する。この通信において、レコーダー１３内のペンデータ受信手段１３０は、ペン１１から送信されたペンＩＤと番組エリア３０４への書き込みデータを受信する（Ｓ４）。この際に送信されるデータはペン１１のペンＩＤ、ペン時刻および、番組表１２から読み込んだ番組表アドレス、位置データである。
【００７０】
データを受信したペンデータ受信手段１３０は、番組表定義ファイル取得手段１３２に、番組表アドレスを、エリアデータ・位置データ比較手段１３４に位置データを、取得時刻送信手段１３５にペン時刻を、そしてペンＩＤを取得データ集積・処理システム１３８に入力する。
【００７１】
番組表アドレスを受け取った番組表定義ファイル取得手段１３２は、番組表定義ファイル用メモリ１３１にアクセスし、番組表アドレスをもとに、番組表１２に対応する番組表定義ファイルを取得する（Ｓ５）。取得した番組表定義ファイルはエリアデータ取得手段１３３に出力される。
【００７２】
番組表定義ファイルを取得したエリアデータ取得手段１３３は、番組表定義ファイルから番組表におけるセルを定義したエリアデータを取得する（Ｓ６）。取得したエリアデータは、エリアデータ・位置データ比較手段１３４に出力される。
【００７３】
エリアデータおよび、位置データを受け取ったエリアデータ・位置データ比較手段１３４は、位置データが、どの番組のエリアデータに含まれるか判別する（Ｓ７）。判別の結果、対応する番組の番組情報である、「日付」「チャンネル」「時間帯」「長さ」「番組名」を取得する（Ｓ８）。取得した番組情報および、位置データ、ペン時刻は、時刻比較手段１３６に出力される。
【００７４】
ペン時刻を取得した取得時刻送信手段１３５は、ペン時刻をレコーダー１３の時刻と同期させ、新たなペン時刻としてペン１１に送信する。また、この同期済みのペン時刻を時刻比較手段１３６に出力する。
【００７５】
番組情報、位置データおよび、同期済みのペン時刻を受け取った時刻比較手段１３６は、番組情報の「日付」「時間帯」と、ペン時刻を比較する（Ｓ９）。当然であるが、予約システムの場合、録画対象番組の「日付」「時間帯」は、ペン時刻より後である。この比較により、レコーダー１３は、動作処理システムが予約システムであると判断する。判断の後、番組情報および、位置データと、動作処理が予約システムであるという情報を記号・文字認識手段１３７に出力する。
【００７６】
番組情報および、位置データを受け取った記号・文字認識手段１３７は、位置データから記号・文字認識を行う。動作処理システムは、予約システムであるので、この記号・文字認識より、録画条件を取得する（Ｓ１０）。取得した録画条件は、番組情報と共に取得データ集積・処理システム１３８に出力される。
【００７７】
取得データ集積・処理システム１３８は、記号・文字認識手段１３７から受け取った、録画条件、番組情報および、ペンデータ受信手段１３０から受け取った、ペンＩＤをもとに、録画装置１３９にアクセスして番組情報および、録画条件に従い、録画を行う（Ｓ１１）。録画データは録画条件によって録画データ用メモリ１４０、あるいはＤＶＤ格納装置１４１に記憶される（Ｓ１２）。記憶する際には、ペンＩＤを用いて録画データの整理を行う。
【００７８】
以上のように、本発明にかかる予約システムは、ペン１１、番組表１２とレコーダー１３を備え、ペン１１で番組表１２に従来のペンの使用方法と同様の方法で書き込みを行うことによって録画したい番組を録画することが可能である。この録画方法であれば、録画予約情報入力における、キー入力のような操作は不要であり、誤入力が発生しない。したがって、ユーザにとってストレスや負担の軽い操作で録画予約を行うことが可能である。
【００７９】
また、本発明にかかる予約システムにおいては、記号・文字認識手段により、録画予約情報だけでなく、録画データを格納する対象や録画モードの設定の入力も可能になり、より、ユーザの利便性を向上させることが可能である。
【００８０】
また、本発明にかかる予約システムにおいては、番組表１２内には、従来のＴＶ番組表と同様で、番組の内容を記載することが可能であり、バーコード入力あるいはＧコード入力システムのように番組毎に設置するバーコードやＧコードを番組エリア３０４内に記載する必要がないＴＶ番組表を提供することができる。
【００８１】
発明の実施の形態４．
続いて、本発明にかかるシステムの一部であるデータ処理システムの動作処理について図を用いて説明する。ここでは適宜図５および、図７を用いて説明する。
【００８２】
まず、図７を用いてペン１１を用いた番組表１２への書き込みについて詳細に説明する。図７は、番組表１２の一例を示すものである。図７に示すように、番組表１２は記入開始エリア３０１、送信開始エリア３０２、番組表エリア３０３、書き込み済番組エリア３０５を有する。尚、書き込み済番組エリア３０５には録画予約情報入力システム１において、ユーザによって書き込まれた記号・文字が記入されてある。
【００８３】
ユーザはペン１１を用いて記入開始エリア３０１の「開始」マークをチェックして録画データの処理を開始する。ユーザは録画を再生あるいは消去したい番組を番組表エリア３０３から選択し、該当する書き込み済番組エリア３０５に書き込みを行う。録画データ処理対象番組は、本発明にかかる予約システムにおいて、予約録画が行われていることを条件とする。データ処理システムにおける番組表１２への書き込み方法は、発明の実施の形態６において、詳細に説明する。
【００８４】
書き込み済番組エリア３０５への書き込みが完了したら、ユーザは送信開始エリア３０２の「送信」マークをチェックして、番組表１２への書き込みが完了する。
【００８５】
ユーザが、番組表エリアへの書き込みを完了し、「送信」マークをチェックすると、ペン１１とレコーダー１３とはブルートゥースを使用して通信を行う。この通信において、レコーダー１３内のペンデータ受信手段１３０は、ペン１１から送信されたペンＩＤと書き込み済番組エリア３０５への書き込みデータを受信する。この際に送信されるデータはペン１１のペンＩＤ、ペン時刻および、番組表１２から読み込んだ、番組表アドレス、位置データである。
【００８６】
データを受信したペンデータ受信手段１３０は、番組表定義ファイル取得手段１３２に番組表アドレスを、エリアデータ・位置データ比較手段１３４にペン時刻、位置データを、そして、ペンＩＤを取得データ集積・処理システム１３８に入力する。
【００８７】
番組表アドレスを受け取った番組表定義ファイル取得手段１３２は、番組表定義ファイル用メモリにアクセスし、番組表アドレスをもとに番組表１２に対応する番組表定義ファイルを取得する。取得した番組表定義ファイルはエリアデータ取得手段に出力される。
【００８８】
番組表定義ファイルを取得したエリアデータ取得手段１３３は、番組表定義ファイルから番組表におけるセルを定義した、エリアデータを取得する。取得したエリアデータは、エリアデータ・位置データ比較手段１３４に出力される。
【００８９】
エリアデータ、位置データおよび、ペン時刻を受け取ったエリアデータ・位置データ比較手段１３４は、位置データが、どの番組のエリアデータに含まれるか判別する。判別の結果、対応する番組の番組情報である、「日付」「チャンネル」「時間帯」「長さ」「番組名」を取得する。取得した番組情報、位置データおよび、ペン時刻は、時刻比較手段１３６に出力される。
【００９０】
番組情報、位置データおよび、ペン時刻を受け取った時刻比較手段１３６は、番組情報の「日付」「時間帯」とペン時刻を比較する。データ処理システムの場合、録画対象番組の「日付」「時間帯」はペン時刻より前である。この比較により、レコーダー１３は、動作処理システムがデータ処理システムであると判断する。判断の後、番組情報および、位置データと、動作処理がデータ処理システムであるという情報を記号・文字認識手段１３７に出力する。
【００９１】
番組情報および、位置データを受け取った記号・文字認識手段１３７は、位置データから記号・文字認識を行う。動作処理システムは、データ処理システムであるので、この認識より処理コマンドが、「再生」あるいは「消去」であるかを判別する（Ｓ１３）。判別後、取得した処理コマンドは、番組情報と共に取得データ集積・処理システム１３８に出力される。
【００９２】
取得データ集積・処理システム１３８は、記号・文字認識手段１３７から受け取った処理コマンド、番組情報および、ペンデータ受信手段１３０から受け取ったペンＩＤをもとに、録画データ用メモリ１４０あるいはＤＶＤ格納装置にアクセスし、録画データを検索・取得し（Ｓ１４）、録画データ再生装置１４２に出力し、録画データを再生（Ｓ１５）、あるいは録画データを消去する（Ｓ１６）。
【００９３】
以上のように、本発明にかかるデータ処理システムは、ペン１１、番組表１２とレコーダー１３を備え、ペン１１で、番組表１２に対し、該当する番組エリア３０４に書き込みを行うだけで録画データを再生、あるいは消去することが可能である。このデータ処理方法であれば、録画データの検索・取得が容易に行え、ユーザの利便性を向上させることが可能である。
【００９４】
発明の実施の形態５．
ここでは、本発明にかかる予約システムにおける番組表１２への書き込みおよび、その形状の記号・文字認識方法について詳細に説明する。ここでは、適宜、図８、図９および、図１０を用いて説明する。
【００９５】
図８、図９および、図１０は、本発明にかかる予約システムにおいて、番組表１２への書き込みの一例を示すものである。予約システムにおける番組情報の入力対象番組は、番組表の１セルのセル内に書き込みが含まれた番組を対象とする。つまり、セル内に書き込みが含まれた当該番組エリアは全て録画予約対象番組となる。
【００９６】
ユーザが、図８の番組表記載の映画「………」を録画予約したい場合、ユーザは図８のように番組エリア３０４に書き込みを行う。さらにユーザが、番組を複数、録画予約したい場合、ユーザは、図９のように録画予約を行いたい番組の番組エリアに書き込みが含まれるような形状の書き込みを行う。番組への書き込みは、図９のようにチャンネル間をまたぐように書き込みを行っても構わない。この場合は５件の番組が録画予約対象の番組となる。
【００９７】
また、録画予約の際に、録画データを格納する対象、録画モードを設定したい場合は、図１０のように英字を書き込む。録画データを格納する対象は、ハードディスク（ＨＤ）あるいはＤＶＤどちらかであるため、頭文字の"Ｈ"あるいは"Ｄ"を選択する。また、録画モードは"ＸＰ"、"ＳＰ"、"ＬＰ"、"ＥＰ"、"ＦＲ"のうちの頭文字"Ｘ"、"Ｓ"、"Ｌ"、"Ｅ"、"Ｆ"から選択し、２つの文字を組み合わせて書き込む。図１０の場合、録画を格納する対象をハードディスク、録画モードは"ＸＰ"モードを選択し、"ＨＳ"と書き込んである。録画条件は１番組毎に設定するものとし、書き込みの際に複数、録画条件を設定したい場合は、その番組エリア毎に文字の書き込みを行う。
【００９８】
以上のように、本発明にかかる予約システムにおける書き込みにおいて、録画予約したい番組エリアに対してペンによる書き込みを行うだけで、録画予約情報の入力が行うことが可能である。また、録画予約したい番組が複数ある場合においては、その番組エリアに書き込みが含む形で書き込みを行えば、チャンネル間をまたぐ場合でも録画予約を行うことが可能である。これにより、録画予約情報入力の際に、ユーザの利便性を向上させることが可能である。
【００９９】
発明の実施の形態６．
ここでは、本発明にかかるデータ処理システムにおける番組表１２への書き込みおよび、その形状の記号・文字認識方法について詳細に説明する。ここでは、適宜、図１１、図１２を用いて説明する。
【０１００】
図１１および、図１２は本発明にかかるデータ処理システムにおいて、番組表１２への書き込みの一例を示すものである。データ処理システムも予約システム同様に、番組情報の入力対象番組は、番組表の１セルのセル内に書き込みが含まれた番組を対象とする。なお、書き込みの形状は、データ処理システムにおける「処理コマンド」の「再生」「消去」を判別するものであり、形状については、「再生」の場合における、書き込みは、１ストロークで判別をする。１ストロークはペン先が紙に触れてから離れるまでの書き込みを指す。１ストロークであれば、書き込む形状は特定のものに限定しない。代表される形状はチェックマークである。
【０１０１】
「消去」の場合における、書き込みは２ストロークで、１ストローク同士が交差しているものを判別する。この条件を満たす書き込みであれば、形状は特定のものに限定しない。代表される形状は×マークである。なお、これら判別における、形状は「再生」「消去」の２パタンを判別できれば、上述の形状に限定するものではない。
【０１０２】
ユーザが、図８の録画済みである、番組表記載の映画「………」を再生したい場合、ユーザは、図１１のように、予約システムにおいて書き込み済みである番組エリア３０４に対して、１ストロークの書き込みを行う。さらにユーザが、番組を録画済みである、複数の番組を再生したい場合、ユーザは、図１２のように再生を行いたい番組の番組エリアに１ストロークで書き込みが行われるような形状で書き込みを行う。
【０１０３】
また、ユーザが図８の録画済みである、番組表記載の映画「………」を消去したい場合、ユーザは図１３のように、予約システムにおいて書き込み済みである番組エリア３０４に対して、×マークを書き込む。消去したい番組が複数ある場合は、番組毎に対応する番組エリアに対して×を書き込むことにより、録画データを消去する。
【０１０４】
以上のように、本発明にかかるデータ処理システムにおいて、番組表１２への書き込みの際には、録画データを再生あるいは消去したい番組の番組エリアに対してペンによる書き込みを行うだけで、録画データの再生あるいは消去が可能である。この処理システムにより、録画データの検索・取得が容易に行うことが可能となり、ユーザの利便性を向上させることが可能である。
【０１０５】
その他の発明の実施の形態．
上述の例では、録画モードには"ＸＰ"、"ＳＰ"、"ＬＰ"、"ＥＰ"、"ＦＲ"がある、としたが、これらのモードは特に限定するものではない。また、録画予約情報入力の際に用いた記号・文字等は、特に上述した記号・文字に限定するものではなく、録画対象や録画モード橙の設定に必要な識別が行える記号・文字であれば良い。
【０１０６】
また、上述の例では、番組表１２の構成において、横方向にチャンネル、縦方向に時間軸を取り、縦方向の時間軸を番組毎に区切り、番組表の１セルを１番組と対応させたが、時間軸の区切り方は、番組毎で限定するものではなく、１分、５分、３０分というように分区切りで行い、１セルをその分刻みにおけるＴＶ放送内容と対応させても構わない。
【０１０７】
また、上述の例では、ペン１１とレコーダー１３の通信にブルートゥース通信を使用したが、特にこれに限定するものではなく、赤外線通信やＵＳＢ接続など有線、無線多くの方式が利用可能である。これらの方式を利用しても、本発明の効果は十分に発揮される。
【０１０８】
また、上述の例では、番組表１２にアノト方式のデジタイジング方式が採用されているが、これに限らず、同様のことはその他の方式のデジタイザーと呼ばれる技術を使っても実現は可能である。ただし、何かしらの装置を必要とするので、可搬性などで本実施形態と同等の効果が得られるかどうかは定かではない。
【図面の簡単な説明】
【０１０９】
【図１】本発明にかかる情報入力システムの概略構成の一例を示す模式図である。
【図２】本発明にかかる情報入力システムの電子ペンの構成例を示す模式図である。
【図３】本発明にかかる情報入力システムの番組表用紙の一例を示す模式図である。
【図４】本発明にかかる情報入力システムのレコーダーの構成例を示す模式図である。
【図５】本発明にかかる情報入力システムの動作処理を示すフローチャート図である。
【図６】本発明にかかる情報入力システムの番組表の一例を示す模式図である。
【図７】本発明にかかる情報入力システムの番組表の一例を示す模式図である。
【図８】本発明にかかる情報入力システムの番組表への記入例を模式図である。
【図９】本発明にかかる情報入力システムの番組表への記入例を模式図である。
【図１０】本発明にかかる情報入力システムの番組表への記入例を模式図である。
【図１１】本発明にかかる情報入力システムの番組表への記入例を模式図である。
【図１２】本発明にかかる情報入力システムの番組表への記入例を模式図である。
【符号の説明】
【０１１０】
１    録画予約情報入力システム
１１    ペン
１２    番組表
１３    レコーダー
１１０    ボールペン
１１１    ペン先
１１２    筆圧センサ
１１３    光学モジュール
１１４    検出範囲
１１５    信号処理部
１１６    制御部
１１７    スイッチ
１１８    メモリ
１１９    バッテリー
１２０    通信制御部
１２１    パタン面
１２２    符号パタン
１２３    ドット
１３０    ペンデータ受信手段
１３１    番組表定義ファイル用メモリ
１３２    番組表定義ファイル取得手段
１３３    エリアデータ取得手段
１３４    エリアデータ・位置データ比較手段
１３５    取得時刻送信手段
１３６    時刻比較手段
１３７    記号・文字認識手段
１３８    取得データ集積・処理システム
１３９    録画装置
１４０    録画データ用メモリ
１４１    格納装置
１４２    録画データ再生装置
３０１    記入開始エリア
３０２    送信開始エリア
３０３    番組表エリア
３０４    番組エリア
３０５    書き込み済番組エリア
【図１】
2006279193.tif 000003
【図２】
2006279193.tif 000004
【図３】
2006279193.tif 000005
【図４】
2006279193.tif 000006
【図５】
2006279193.tif 000007
【図６】
2006279193.tif 000008
【図７】
2006279193.tif 000009
【図８】
2006279193.tif 000010
【図９】
2006279193.tif 000011
【図１０】
2006279193.tif 000012
【図１１】
2006279193.tif 000013
【図１２】
2006279193.tif 000014